(57)【特許請求の範囲】
【請求項１】
移動自在な端末局を備え、自局の無線セルに属する端末局と無線通信する基地局装置が接続されてなるネットワークを複数備え、一の前記ネットワークは中継器を介して他の前記ネットワークと接続されてなる無線ＬＡＮ（ローカルエリアネットワーク）システムにおいて、
前記端末局が、前記端末局が移動前に帰属していた基地局装置が接続するネットワークの情報を含む基地局情報を記憶保持する記憶手段と、
前記端末局が移動し移動先の無線セル内に１又は複数の基地局装置から無線送信される基地局情報を受信した場合、前記記憶手段に格納されている基地局情報を参照して、前記受信した基地局情報に、移動直前とネットワークアドレスが同一の基地局装置の基地局情報が存在する場合には、移動直前とネットワークアドレスが同一の基地局装置を新たに帰属する基地局として選択する手段と、
を備え、前記選択された基地局の基地局情報が次回の端末局移動時に比較するための基地局情報として前記記憶手段に格納される、ことを特徴とする無線ＬＡＮシステム。
【請求項２】
移動自在な端末局と、
自局の無線セルに属する端末局と無線通信する複数の基地局装置と、
前記基地局装置が接続されてなるネットワークを複数備え、一の前記ネットワークはルータを介して他の前記ネットワークと接続されてなる無線ＬＡＮシステムにおいて、
前記基地局装置は、自局が作る無線セル内に移動してきた前記端末局からの帰属要求信号を受信し、前記帰属要求信号に基づき、自基地局に帰属する端末局を登録管理する端末帰属管理手段と、
前記端末局との間で帰属処理が行われている場合に、自基地局がどのネットワークに帰属しているかという情報を与える基地局情報を、ネットワークアドレスを記憶するネットワークアドレス記憶手段の情報に基づき生成する基地局情報設定手段と、
前記生成された基地局情報を前記端末局宛てに無線部を介して送信する基地局情報送信手段と、
を備え、
前記端末局は、一の無線セルから他の無線セルに移動した際に、新たに帰属可能な１又は複数の基地局からそれぞれ移動先の前記無線セルに無線送信される１又は複数の基地局情報を受信する基地局情報受信手段と、
移動前に帰属していた基地局装置の基地局情報を記憶保持する基地局情報記憶手段と、
前記受信した基地局情報を、前記基地局情報記憶手段に格納されている基地局情報と比較し、前記受信した前記基地局情報の中に、移動直前とネットワークアドレスが同一の基地局装置が存在する場合には、この基地局装置を選択する基地局選択手段と、
前記選択された基地局装置宛てに無線部を介して端末情報を含む帰属要求信号の送信を行う帰属処理手段と、
を備え、
前記基地局選択手段は、次回の端末局移動時に比較するための基地局情報として、前記選択された基地局装置の基地局情報を前記基地局情報記憶手段に格納する、ことを特徴とする無線ＬＡＮシステム。
【請求項３】
前記基地局装置が、ネットワークインタフェースに接続されるネットワークアドレスフィルタリング手段を備え、
前記ネットワークアドレスフィルタリング手段は、ネットワーク上を流れるデータから、自局宛てのパケットヘッダより、ネットワークアドレスを抽出し、前記ネットワークアドレス記憶手段に格納する、ことを特徴とする請求項２記載の無線ＬＡＮシステム。
【請求項４】
前記基地局装置が、前記基地局装置の前記無線部に送信データを供給するとともに、前記基地局装置の前記無線部からの受信データを受け取り、前記ネットワークインタフェース、前記端末帰属管理手段、前記基地局情報送信手段に接続される送受信切替え手段を備えている、ことを特徴とする請求項２又は３記載の無線ＬＡＮシステム。
【請求項５】
前記端末局が、前記端末局の前記無線部に送信データを供給するとともに、前記端末局の前記無線部からの受信データを受け取り、情報処理装置、前記基地局情報受信手段、前記帰属処理手段に接続される送受信切替え手段を備えている、ことを特徴とする請求項２又は３記載の無線ＬＡＮシステム。
【請求項６】
移動自在な端末局を備え、自局の無線セルに属する端末局と無線通信する基地局装置が接続されてなるネットワークを複数備え、一の前記ネットワークは中継器を介して他の前記ネットワークと接続されてなる無線ＬＡＮシステムにおける端末局の基地局選択方法において、
前記端末局は、前記端末局が移動前に帰属していた基地局装置が接続するネットワークの情報を含む基地局情報を記憶保持し、
前記端末局が移動し移動先の無線セル内に１又は複数の基地局装置から無線送信される１又は複数の基地局情報を受信した場合、前記記憶手段に格納されている基地局情報を参照して、前記受信した基地局情報に、移動直前とネットワークアドレスが同一の基地局装置の基地局情報が存在する場合には、移動直前とネットワークアドレスが同一の基地局装置を新たに帰属する基地局として選択し、
前記選択された基地局の基地局情報を次回の端末局移動時に比較するための基地局情報として記憶保持する、
ことを特徴とする自律的基地局選択方法。
【請求項７】
移動自在な端末局と、
自局の無線セルに属する端末局と無線通信する複数の基地局装置と、
前記基地局装置が接続されてなるネットワークを複数備え、
一の前記ネットワークはルータを介して他の前記ネットワークと接続されてなる無線ＬＡＮシステムにおける端末局の基地局選択方法において、
前記基地局装置が、自局が作る無線セル内に移動してきた前記端末局からの帰属要求信号を受信し、前記帰属要求信号に基づき、自基地局に帰属する端末局を登録管理するステップと、
前記端末局との間で帰属処理が行われている場合に、自局基地局装置がどのネットワークに帰属しているかという情報を与える基地局情報を、ネットワークアドレスを記憶するネットワークアドレス記憶手段の情報に基づき生成し、前記基地局情報を前記端末局宛てに前記基地局装置の無線部を介して送信させるステップと、
を有し、
前記端末局が、一の無線セルから他の無線セルに移動した際に、新たに帰属可能な１又は複数の基地局装置からそれぞれ移動先の前記無線セルに無線送信される基地局情報を受信するステップと、
前記端末局が、前記受信した基地局情報を、移動前に帰属していた基地局装置の基地局情報を記憶保持する基地局情報記憶手段に格納されている基地局情報と比較し、前記受信した前記基地局情報の中から、移動直前とネットワークアドレスが同一の基地局装置が存在する場合には、この基地局装置を選択するステップと、
前記端末局が、前記選択された基地局装置宛てに前記端末局の無線部を介して端末情報を含む帰属要求信号の送信を行うステップと、
前記端末局が、次回の端末局の移動時に比較するための基地局情報として、前記選択された基地局装置の基地局情報を前記基地局情報記憶手段に格納するステップと、
を有する、ことを特徴とする自律的基地局選択方法。
【請求項８】
前記基地局装置が、ネットワークインタフェースに接続されるネットワークアドレスフィルタリング手段により、ネットワーク上を流れるデータから、自局宛てのパケットヘッダよりネットワークアドレスを抽出するステップと、
前記抽出したネットワークアドレスを前記基地局装置のネットワークアドレス記憶手段に格納するステップと、
を含む、ことを特徴とする請求項７記載の自律的基地局選択方法。
【請求項９】
自局の無線セルに属する端末局と無線通信する基地局装置が接続されてなるネットワークを複数備え、一の前記ネットワークは中継器を介して他の前記ネットワークと接続されてなる無線ＬＡＮシステムを構成する前記端末局が、
前記端末局が移動前に帰属していた基地局装置が接続するネットワークの情報を含む基地局情報を記憶保持する記憶手段と、
前記端末局が移動し移動先の無線セル内に１又は複数の基地局装置から無線送信される基地局情報を受信した場合、前記記憶手段に格納されている基地局情報を参照して、前記受信した基地局情報に、移動直前とネットワークアドレスが同一の基地局装置の基地局情報が存在する場合には、移動直前とネットワークアドレスが同一の基地局装置を新たに帰属する基地局とする手段と、
前記新たに帰属する基地局の基地局情報を次回の端末局移動時に比較するための基地局情報として前記記憶手段に記憶する手段と、
を備えている、ことを特徴とする端末局。
【請求項１０】
ネットワークに接続されるとともに、自局の無線セルに属する端末局と無線通信する複数の基地局装置を有し、一の前記ネットワークはルータを介して他の前記ネットワークと接続されてなる複数のネットワークより構成されてなり、
前記基地局装置は、自局が作る無線セル内に移動してきた前記端末局からの帰属要求信号を受信し、前記帰属要求信号に基づき、自基地局に帰属する端末局を登録管理し、前記端末局との間で帰属処理が行われている場合に、自基地局装置がどのネットワークに帰属しているかという情報を与える基地局情報を、ネットワークアドレスを記憶するネットワークアドレス記憶手段の情報に基づき生成し、前記基地局情報を端末局宛てに無線部から送信する、
無線ＬＡＮシステムに接続される端末局において、
自局が位置する基地局装置が定期的に無線セル内に送信する制御信号を監視し、基地局装置からの前記制御信号が受信できなくなった場合、自局は移動したものと判断し、新たに帰属可能な複数の基地局装置からそれぞれ無線セルに無線送信される複数の基地局情報を受信する基地局情報受信手段と、
移動前に帰属していた基地局装置の基地局情報を記憶保持する基地局情報記憶手段と、
前記受信した複数の基地局情報を、前記基地局情報記憶手段に格納されている基地局情報と比較し、前記受信した複数の基地局情報の中から、移動直前とネットワークアドレスが同一の基地局装置が存在する場合には、この基地局装置を選択する基地局選択手段と、
前記選択された基地局装置宛てに無線部を介して端末情報を含む帰属要求信号の送信を行う帰属処理手段と、
を備え、
前記基地局選択手段は、次回の端末局移動時に比較する基地局情報として、前記選択された基地局装置の基地局情報を前記基地局情報記憶手段に格納する、ことを特徴とする端末局。
【請求項１１】
前記端末局において、前記無線部に送信データを供給し、前記無線部からの受信データを受け取り、情報処理装置、前記基地局情報受信手段、前記帰属処理手段に接続される送受信切替え手段を備えている、ことを特徴とする請求項１０記載の端末局。
【請求項１２】
移動自在な端末局と、ネットワークに接続されるとともに自局の無線セルに属する端末局と無線通信する複数の基地局装置と、を備え、一の前記ネットワークはルータを介して他の前記ネットワークと接続されてなる無線ＬＡＮシステムにおいて、
前記基地局装置は、自局が作る無線セル内に移動してきた前記端末局からの帰属要求信号を受信し、前記帰属要求信号に基づき、自基地局装置に帰属する端末局を登録管理する端末帰属管理手段と、
前記端末局との間で帰属処理が行われている場合に、自基地局装置がどのネットワークに帰属しているかという情報を与える基地局情報を、ネットワークアドレスを記憶するネットワークアドレス記憶手段の情報に基づき生成する基地局情報設定手段と、
前記基地局情報を前記端末局宛てに無線部を介して送信する基地局情報送信手段と、
を備えている、ことを特徴とする基地局装置。
【請求項１３】
前記無線部に送信データを供給し、前記無線部からの受信データを受け取り、前記ネットワークインタフェース、前記端末帰属管理手段、前記基地局情報送信手段に接続される送受信切替え手段を備えている、ことを特徴とする請求項１２記載の基地局装置。
【請求項１４】
ネットワークに接続されるとともに、自局の無線セルに属する端末局と無線通信する複数の基地局装置を有し、一の前記ネットワークはルータを介して他の前記ネットワークと接続されてなる複数のネットワークより構成されてなり、前記基地局装置は、自局が作る無線セル内に移動してきた前記端末局からの帰属要求信号を受信し、前記帰属要求信号に基づき、自基地局に帰属する端末局を登録管理し、前記端末局との間で帰属処理が行われている場合に、自基地局装置がどのネットワークに帰属しているかという情報を与える基地局情報を、ネットワークアドレスを記憶するネットワークアドレス記憶手段の情報に基づき生成し、前記基地局情報を端末局宛てに無線部から送信する、無線ＬＡＮシステムに接続される端末局において、
（ａ）自局が位置する基地局装置が定期的に無線セル内に送信する制御信号を監視し、前記基地局装置からの前記制御信号が受信できなくなった場合、自局は移動したものと判断し、新たに帰属可能な複数の基地局装置からそれぞれ無線セルに無線送信される複数の基地局情報を受信する処理と、
（ｂ）前記受信した複数の基地局情報を、移動前に帰属していた基地局装置の基地局情報を記憶保持する基地局情報記憶手段に格納されている基地局情報と比較し、前記受信した前記基地局情報の中から、移動直前とネットワークアドレスが同一の基地局装置が存在する場合には、この基地局装置を選択する処理と、
（ｃ）前記選択された基地局装置宛てに無線部を介して端末情報を含む帰属要求信号の送信を行う処理と、
（ｄ）次回の端末局移動時に比較する基地局情報として、前記選択された基地局装置の基地局情報を前記基地局情報記憶手段に格納する処理と、
を前記端末局を構成するコンピュータで実行させるためのプログラム。
【請求項１５】
移動自在な端末局と、ネットワークに接続されるとともに自局の無線セルに属する端末局と無線通信する複数の基地局装置と、を備え、一の前記ネットワークはルータを介して他の前記ネットワークと接続されてなる複数のネットワークより構成されてなる無線ＬＡＮシステムの基地局装置において、
（ａ）自局が作る無線セル内に移動してきた前記端末局からの帰属要求信号を受信し、前記帰属要求信号に基づき、自基地局装置に帰属する端末局を登録管理する処理と、
（ｂ）前記端末局との間で帰属処理が行われている場合に、自基地局装置がどのネットワークに帰属しているかという情報を与える基地局情報を、ネットワークアドレスを記憶するネットワークアドレス記憶手段の情報に基づき生成する処理と、
（ｃ）前記基地局情報を端末局宛てに前記基地局装置の無線部を介して送信する処理と、
を前記基地局装置を構成するコンピュータで実行させるためのプログラム。
【発明の詳細な説明】
【０００１】
【発明の属する技術分野】
本発明は、無線ＬＡＮ（Local  Area  Network）技術に関し、特に、無線ＬＡＮ端末の自律的基地局選択装置及び方法に関する。
【０００２】
【従来の技術】
近時、端末が無線基地局と無線回線を介して通信し端末が自由に場所を移動する無線ＬＡＮシステムが実用化されている。無線ＬＡＮは、IEEE802.11（IEEEは米国電気電子技術者協会）で審議されており、日本国では、1992年電気通信技術審議会無線ＬＡＮ委員会の答申等により、電波の割り当て(2.4GHｚ帯、 1.9GHｚ帯)が認可され製品化が行われている。例えば2.4GHｚ帯の物理層では、スペクトラム拡散方式の直接拡散方式（SS-DS）と周波数ホッピング方式（SS-FH）が採用されている。
【０００３】
無線ＬＡＮシステムにおいて、
・端末が即座に基地局に接続できるような手段を具備すること、及び、
・端末の移動に伴う通信の中断をより短くすること、
が要求されている。
【０００４】
この要請に応えるために、例えば特許第２９６３４２４号公報には、あらかじめホームネットワークのドメインＩＤを記憶した無線端末が、無線通信の所要品質を満たす複数の無線基地局の中にホームネットワークと同じドメインＩＤを持つ無線基地局が存在する場合は、ホームネットワークと同じドメインＩＤを持ちかつ品質が最も優れる無線基地局を選択する方法が提案されている。この従来の方法では、無線端末は、一定期間周辺無線基地局の制御信号（報知信号）を受信して例えば所要品質を満たす基地局リストを作成し、基地局リストにホーム基地局が存在する場合、品質の最良のホーム基地局を選択し、ホーム基地局が存在しない場合、リモート基地局の中から品質最良の基地局をさがす。
【０００５】
しかしながら、この特許第２９６３４２４号公報に記載されている方法において、端末は、ホームネットワークのドメインＩＤを記憶しているだけであり、端末の移動に伴って帰属基地局の情報の更新を実行するための手段についての記載はなく、この更新を実現するための具体的構成は示されていない。
【０００６】
【発明が解決しようとする課題】
したがって、本発明が解決しようとする課題は、基地局と通信している端末局が無線セル間を移動し、複数の基地局と通信できる状況になった場合に、以前と同一のネットワークにつながる基地局を、自律的に選択して、通信を継続することを可能とする無線ＬＡＮシステム、方法及び装置とプログラムを提供することにある。
【０００７】
【課題を解決するための手段】
前記課題を解決するための手段を提供する本発明は、移動自在な端末局を有し、ルータを介して接続される複数のネットワークに接続されるとともに、自局の無線セルに属する端末局と無線通信する複数の基地局装置と、を備えた無線ＬＡＮシステムにおいて、前記端末局は、前記端末局が移動前に帰属していた基地局装置が接続するネットワークの情報を含む基地局情報を記憶保持し、前記端末局が移動した際に、新たに帰属可能な基地局から無線送信される基地局情報を受信した場合、前記記憶手段に格納されている基地局情報を参照して、前記基地局情報の中から、移動直前とネットワークアドレスが同一の基地局が存在する場合には、この基地局を選択する、構成としている。
【０００８】
本発明の他のアスペクト（側面）において、無線ＬＡＮシステムは、移動自在な端末局と、ネットワークに接続されるとともに、自局の無線セルに属する端末局と無線通信する複数の基地局装置と、を備え、前記ネットワークは、ルータを介して接続される複数のネットワークより構成されてなる無線ＬＡＮシステムにおいて、前記基地局装置は、自局が作る無線セル内に移動してきた前記端末局からの帰属要求信号を受信し、前記帰属要求信号に基づき、自基地局に帰属する端末局を登録管理する端末帰属管理手段と、前記端末局との間で帰属処理が行われている場合に、基地局がどのネットワークに帰属しているかという情報を与える基地局情報を、ネットワークアドレスを記憶する記憶手段の情報に基づき生成する基地局情報設定手段と、前記基地局情報を端末局宛てに無線部から送信させる基地局情報送信手段と、を備え、端末局は、自局が位置する基地局が定期的に無線セル内に送信する制御信号を監視し、基地局からの前記制御信号が受信できなくなった場合、自局は移動したものと判断し、新たに帰属可能な１又は複数の基地局からそれぞれ無線セルに無線送信される基地局情報を受信する基地局情報受信手段と、移動前に帰属していた基地局装置の基地局情報を記憶保持する基地局情報記憶手段と、前記受信した基地局情報を、前記基地局情報記憶手段に格納されている基地局情報と比較し、前記受信した基地局情報の中から、移動直前とネットワークアドレスが同一の基地局が存在する場合には、この基地局を選択する基地局選択手段と、前記選択された基地局宛てに無線部を介して端末情報を含む帰属要求信号の送信を行う帰属処理手段と、を備え、前記基地局選択手段は、次回の端末局移動時に比較する基地局情報として、前記選択された基地局の基地局情報を前記基地局情報記憶手段に格納する。
【０００９】
本発明のさらに別のアスペクト（側面）において、自律選択方法は、移動自在な端末局と、ネットワークに接続されるとともに、自局の無線セルに属する端末局と無線通信する複数の基地局装置と、を備え、前記ネットワークは、ルータを介して接続される複数のネットワークより構成されてなる無線ＬＡＮシステムにおける端末の基地局選択方法において、
前記基地局装置は、自局が作る無線セル内に移動してきた前記端末局からの帰属要求信号を受信し、前記帰属要求信号に基づき、自基地局に帰属する端末局を登録管理するステップと、
前記端末局との間で帰属処理が行われている場合に、基地局がどのネットワークに帰属しているかという情報を与える基地局情報を、ネットワークアドレスを記憶するネットワークアドレス記憶手段の情報に基づき生成し、前記基地局情報を端末局宛てに無線部から送信させるステップと、を有する。
【００１０】
また、端末局は、自局が位置する基地局が定期的に無線セル内に送信する制御信号を監視し、基地局からの前記制御信号が受信できなくなった場合、自局は移動したものと判断し、新たに帰属可能な１又は複数の基地局からそれぞれ無線セルに無線送信される基地局情報を受信するステップと、
前記受信した基地局情報を、移動前に帰属していた基地局装置の基地局情報を記憶保持する基地局情報記憶手段に格納されている基地局情報と比較し、前記受信した基地局情報の中から、移動直前とネットワークアドレスが同一の基地局装置が存在する場合には、この基地局を選択するステップと、
前記選択された基地局装置宛てに無線部を介して端末情報を含む帰属要求信号の送信を行うステップと、
次回の端末局移動時に比較する基地局情報として、前記選択された基地局装置の基地局情報を前記基地局情報記憶手段に格納するステップと、を有する。
【００１１】
本発明のさらに別のアスペクト（側面）において、端末局のプログラムは、ネットワークに接続されるとともに、自局の無線セルに属する端末局と無線通信する複数の基地局装置と、を備え、前記ネットワークは、ルータを介して接続される複数のネットワークより構成されてなり、前記基地局装置は、自局が作る無線セル内に移動してきた前記端末局からの帰属要求信号を受信し、前記帰属要求信号に基づき、自基地局に帰属する端末局を登録管理し、前記端末局との間で帰属処理が行われている場合に、基地局がどのネットワークに帰属しているかという情報を与える基地局情報を、ネットワークアドレスを記憶するネットワークアドレス記憶手段の情報に基づき生成し、前記基地局情報を端末局宛てに無線部から送信する、無線ＬＡＮシステムに接続される端末局において、
（ａ）自局が位置する基地局が定期的に無線セル内に送信する制御信号を監視し、基地局からの前記制御信号が受信できなくなった場合、自局は移動したものと判断し、新たに帰属可能な１又は複数の基地局装置からそれぞれ無線セルに無線送信される基地局情報を受信する処理と、
（ｂ）前記受信した基地局情報を、移動前に帰属していた基地局装置の基地局情報を記憶保持する基地局情報記憶手段に格納されている基地局情報と比較し、前記受信した基地局情報の中から、移動直前とネットワークアドレスが同一の基地局が存在する場合には、この基地局を選択する処理と、
（ｃ）前記選択された基地局宛てに無線部を介して端末情報を含む帰属要求信号の送信を行う処理と、
（ｄ）次回の端末局移動時に比較する基地局情報として、前記選択された基地局の基地局情報を前記基地局情報記憶手段に格納する処理と、を前記端末局を構成するコンピュータで実行させるためのプログラムよりなる。
【００１２】
本発明のさらに別のアスペクト（側面）において、基地局のプログラムは、移動自在な端末局と、ネットワークに接続されるとともに、自局の無線セルに属する端末局と無線通信する複数の基地局装置と、を備え、前記ネットワークは、ルータを介して接続される複数のネットワークより構成されてなる無線ＬＡＮシステムの基地局装置において、
（ａ）自局が作る無線セル内に移動してきた前記端末局からの帰属要求信号を受信し、前記帰属要求信号に基づき、自基地局に帰属する端末局を登録管理する処理と、
（ｂ）前記端末局との間で帰属処理が行われている場合に、基地局がどのネットワークに帰属しているかという情報を与える基地局情報を、ネットワークアドレスを記憶するネットワークアドレス記憶手段の情報に基づき生成する処理と、
（ｃ）前記基地局情報を端末局宛てに無線部から送信させる処理と、
を前記基地局を構成するコンピュータで実行させるためのプログラムよりなる。
【００１３】
【発明の実施の形態】
本発明の実施の形態について説明する。無線ＬＡＮ（ローカルエリアネットワーク）装置において、無線ＬＡＮ端末が自律的に基地局を選択するシステムは、特に、端末局が異なるネットワークの境界付近で移動する際に、同一のネットワーク上の基地局に帰属させる機能手段を具備するために構成されている。
【００１４】
一つの基地局と通信している端末局が無線セル間を移動し、複数の基地局と通信できる状況になった場合に、以前と同一のネットワークにつながる基地局を、自律的に選択して通信を継続することができるようにしたものである。
【００１５】
図３には、本発明が適用される無線ＬＡＮシステム構成の一例が模式的に示されている。図３に示すように、イーサネット(登録商標)などの複数のネットワーク（ＮＷ１、ＮＷ２）が中継器（ルータ１０１）を介して接続されているシステム構成において、各ネットワーク（ＮＷ１、ＮＷ２）に接続される基地局（ＢＳ１、ＢＳ２、ＢＳ３）が無線セル（Ｃ１、Ｃ２、Ｃ３）を構成し、端末局（ＭＴ１、ＭＴ２、ＭＴ３）と、基地局が作る無線セル内で基地局を経由してＩＰ（Internet Protocol）通信を行う。
【００１６】
本発明は、その好ましい一実施の形態において、移動自在な端末局と、ネットワークに接続されるとともに、自局の無線セルに属する端末局と無線通信する複数の基地局装置と、を備え、一のネットワーク（ＮＷ１）はルータ（ROUTER）１０１を介して他のネットワーク（ＮＷ２）に接続される複数のネットワークより構成されてなる無線ＬＡＮシステムにおいて、基地局装置は、図１を参照すると、自局が作る無線セル内に移動してきた前記端末局からの帰属要求信号を受信し、前記帰属要求信号に基づき、自基地局に帰属する端末局を登録管理する端末帰属管理手段（６）と、端末局との間で帰属処理が行われている場合に、基地局がどのネットワークに帰属しているかという情報を与える基地局情報を、ネットワークアドレスを記憶するネットワークアドレス記憶手段（４）の情報に基づき生成する基地局情報設定手段（８）と、前記基地局情報を端末局宛てに無線部（１）を介して送信させる制御を行う基地局情報送信手段（７）と、を備える。
【００１７】
本発明は、その好ましい一実施の形態において、端末局は、図２を参照すると、自局が位置する基地局が定期的に無線セル内に送信する制御信号を監視し、基地局からの前記制御信号が受信できなくなった場合、自局は移動したものと判断し、新たに帰属可能な複数の基地局からそれぞれ無線セルに無線送信される基地局情報を受信する基地局情報受信手段（１１）と、移動前に帰属していた基地局装置の基地局情報を記憶保持する基地局情報記憶手段（１３）と、前記受信した複数の基地局情報を、前記基地局情報記憶手段（１３）に格納されている基地局情報と比較し、複数の基地局情報の中から、移動直前とネットワークアドレスが同一の基地局が存在する場合には、この基地局を選択する基地局選択手段（１２）と、前記選択された基地局宛てに無線部を介して端末情報を含む帰属要求信号の送信を行う帰属処理手段（１４）と、を備え、前記基地局選択手段（１２）は、次回の端末局移動時に比較する基地局情報として、前記選択された基地局の基地局情報を前記基地局情報記憶手段（１３）に格納する。なお、基地局の無線セル内にあり、当該無線基地局を介して通信を行う端末局を当該無線基地局に帰属するという。
【００１８】
本発明の一実施の形態において、帰属管理手段（６）と、基地局情報設定手段（８）と、基地局情報送信手段（７）は、基地局内のコンピュータ上で実行される制御プログラムによってその機能を実現するようにしてもよい。また基地情報受信手段（１１）基地局選択手段（１２）と帰属処理手段（１４）は、端末局内のコンピュータ上で実行される制御プログラムによってその機能を実現するようにしてもよい。
【００１９】
例えば図３に示すように、端末局（ＭＴ１）がネットワーク（ＮＷ１）の基地局（ＢＳ１）の作る無線セル（Ｃ１）内から、基地局（ＢＳ２、ＢＳ３）がそれぞれ作る無線セル（Ｃ２、Ｃ３）の重複領域に移動した場合、基地局（ＢＳ２、ＢＳ３）は、基地局（ＢＳ１）から自局の無線セルに新たに移動してきた端末局（ＭＴ１）からの帰属要求に対して、基地局が帰属するネットワークの情報（基地局情報）を送信する。
【００２０】
端末局（ＭＴ１）は、受信した二つの基地局（ＢＳ２、ＢＳ３）の基地局情報と、端末局（ＭＴ１）の基地局情報記憶部（１３）に格納されている、移動直前に帰属していた基地局情報とを比較して、ネットワークが同一の基地局を選択し帰属処理を行う動作を実行する。
【００２１】
よって、簡易な構成により、自律的に移動前と同一のネットワークアドレスを持つ基地局に帰属させることができ、この場合、端末局の設定変更（ネットワークアドレスの設定変更）が不用とされ、また、通信が途切れることがないという効果が得られる。
【００２２】
【実施例】
上記した実施の形態についてさらに詳細に説明すべく、本発明の実施例について図面を参照して説明する。図１は、本発明の一実施例の基地局装置の構成を示す図である。図１には、本発明の一実施例に係る基地局装置として、ネットワークアドレスを記憶し、端末局からの帰属要求に対して基地局情報としてこのネットワークアドレスを送信する回路構成が示されている。
【００２３】
図１を参照すると、基地局装置は、図示されない送受信アンテナ、無線送信部（変調部、電力増幅部等を有する）、無線受信部（受信部、復調部を含む）を備えた無線送受信回路１と、無線送受信回路１との間で送信データ、受信データの授受を行うための送信バッファと受信バッファ（不図示）を備え、送受の切替えを行う送受信切り替え回路２と、Ethernet（登録商標）等の有線ネットワークケーブル（例えば10BASE-T、100BASE-T等）に接続し、パケットデータ等の送受信を行う有線ネットワークインタフェース回路（ＮＩＣ）５と、有線ネットワークインタフェース回路５からの自局あての受信パケットを受け取ってフィルタリング処理し、ネットワークアドレスを抽出するネットワークアドレスフィルタリング回路３と、ネットワークアドレスフィルタリング回路３で抽出されたネットワークアドレスを記憶保持するネットワークアドレス記憶部４と、自局に帰属する端末局からの信号を受け取り、端末局の帰属状態を記憶管理する端末帰属管理回路６と、自局の基地局情報を送信するための制御を行う基地局情報送信回路７と、ネットワークアドレス記憶部４に格納されたネットワークアドレスに基づき、自局の基地局情報を生成する基地局情報設定回路８と、を備えている。
【００２４】
図２を参照すると、本発明の一実施例の端末局装置の構成を示す図である。図２には、本発明の一実施例の端末局装置として、自ら移動を検出し、移動前とネットワークが同一の基地局を選択して帰属処理を行う回路構成が示されている。端末局装置は、図示されない送受信アンテナ、無線送信部（変調部、電力増幅部）、無線受信部（受信部、復調部）を備えた無線送受信回路９と、無線送受信回路９との間で送信データ、受信データの授受を行うための送信バッファと受信バッファ（不図示）を備え、送受の切替えを行う送受信切り替え回路１０と、基地局から送信された情報から基地局情報を抽出する基地局情報受信回路１１と、移動直前まで帰属していた基地局情報を格納する基地局情報記憶部１３と、受信した基地局情報と基地局情報記憶部１３とに基づき、端末局が帰属する最適な基地局を判定する基地局判定回路１２と、基地局判定回路１２で判定された基地局に対して、自端末局の情報を帰属情報として送信する制御を行う帰属処理回路１４と、送受信切り替え回路１０との間でデータのやり取りを行う端末１５と、を有する。端末１５は、例えばノートパソコン、ＰＤＡ（personal  digital  assistants）等の携帯情報端末等よりなり、ＩＰアドレス、ＭＡＣ（media  access  control）アドレス(ＭＡＣ層のアドレス)を有する。
【００２５】
本実施例の動作について説明する。まず、基地局装置の動作について、図１、図３を参照して説明する。
【００２６】
基地局装置では、自局が作る無線セル内に移動してきた端末局（例えばＭＴ１）が、基地局宛てに送信する帰属要求信号を受信し、端末帰属管理回路６が、帰属要求信号から、端末情報（例えば端末のＭＡＣアドレス）を抽出し、端末局との間で帰属の処理を行う。自基地局に帰属する端末局は、端末帰属管理回路６の不図示のテーブルに登録される。自基地局に帰属しなくなった端末局はテーブルから削除される。
【００２７】
基地局装置では、ネットワークアドレスフィルタリング回路３を用いて、有線ネットワーク上を流れるデータから、自局のネットワークアドレスを抽出し、ネットワークアドレス記憶部４に格納する。ネットワークアドレスフィルタリング回路３は、自局当てのＩＰパケットのヘッダの宛先アドレスが、例えば自局のＭＡＣアドレス（有線ネットワークインタフェース回路５のＭＡＣアドレス）と一致するパケットをフィルタリングして、転送先のネットワークアドレス（ＩＰアドレス）を抽出する。なお、パケットのヘッダ情報には、ネットワーク機器のネットワークインタフェースに固有のＭＡＣアドレスと、ＩＰルーチング上必要な転送先のＩＰアドレスが書き込まれている。なお、ＩＰアドレスの中のネットワークアドレスがネットワークアドレス記憶部４に格納される。
【００２８】
なお、基地局では、当初、ネットワークインタフェース回路５のＭＡＣアドレスしか知られていないため、このようにして、ネットワークアドレスを取得している。ネットワークアドレスフィルタリング回路３を備えた基地局の場合、あるネットワークＮＷ１に接続されていた基地局を他のネットワークＮＷ２に移動して繋ぎかえることも可能である。
【００２９】
ネットワークアドレス記憶部４に記憶されたネットワークアドレスは、基地局情報設定回路８に供給される。
【００３０】
端末局との間で帰属確認の処理が行われていることを端末帰属管理回路６で検知した場合に、基地局情報送信回路７から、基地局がどのネットワークに帰属しているかという情報を与える基地局情報として出力され、端末局宛てに無線送信される。
【００３１】
端末局の動作について、図２を参照して説明する。端末局では、無線送受信回路９で、無線基地局との間でのデータの送受信が行われ、送受信切り替え回路１０は、送信データを格納する送信バッファ、受信データを格納する受信バッファを備え、基地局装置の作る無線セル内で基地局に信号を送信し、また基地局からのデータを受信する。
【００３２】
また、端末局では、端末１５（一例としてノート型ＰＣ）とインタフェース（アダプタ）を有する。この端末１５は、ルータをまたいで別のネットワークに移動し通信を行う場合、ネットワークの設定を変更する必要がある。
【００３３】
例えば、端末１５がＴＣＰ（transmission  control  protocol）/ＩＰ（internet protocol）の通信を行っている時、異なるネットワークアドレスを持つネットワークに端末１５が移動して通信を行う場合には、ＩＰアドレスなどの設定を変更するような処置である。すなわち、端末１５のＩＰアドレスのネットワークアドレス部を、移動先のネットワークアドレスに変更し、ホストアドレス部を移動先のネットワークのホスト番号等に設定し直す必要がある。
【００３４】
端末局は、基地局に帰属して基地局との間で無線通信を行うが、自局が帰属する基地局が定期的に無線セル内に送信する制御信号を、基地局情報受信回路１１で常時検出しており、基地局が定期的に無線セル内に送信する信号が受信できなくなった場合、自局は移動したものと判断し、新たに帰属可能な複数の基地局（ＢＳ２，ＢＳ３）からそれぞれ無線セルＣ２、Ｃ３に無線送信される基地局情報を受信する。
【００３５】
基地局情報は、各基地局がどのネットワーク上にあるかという情報を与えるものであり、端末局の基地局選択回路１２では、受信した複数の基地局情報を、基地局情報記憶部１３に格納されている基地局情報と比較する。この実施例では、基地局情報は、基地局のネットワークインタフェース回路（ＮＩＣ）５のＭＡＣアドレスと、ネットワークアドレス記憶部４に記憶されたネットワークアドレス（ＩＰアドレス）からなる。
【００３６】
基地局情報記憶部１３に格納されている基地局情報は、端末局が移動直前に帰属していた基地局の情報であり、基地局選択回路１２は、複数の基地局情報の中から、移動直前とネットワークアドレスが同一の基地局を選択して、帰属処理回路１４により、帰属要求信号の送信動作を行う。帰属要求信号には、例えば端末局（端末１５）のＭＡＣアドレスが含まれる。
【００３７】
また、次回の端末局移動時に比較する基地局情報として、基地局情報を基地局情報記憶部１３に格納する。
【００３８】
本実施例によれば、かかる構成としたことで、図３に示すように、一つのネットワークＮＷ１につながる基地局装置ＢＳ１に帰属していた端末局ＭＴ１が、複数の基地局ＢＳ２、ＢＳ３が作るセルの重複領域に移動した場合、端末局ＭＴ１は、ネットワークの変更が不要な基地局装置ＢＳ２を自律的に選択して、帰属処理を行うことができる。
【００３９】
一方、本発明の構成をとらない場合、一つのネットワークＮＷ１につながる基地局装置ＢＳ１に帰属していた端末局ＭＴ１が、複数の基地局ＢＳ２、ＢＳ３が作るセルの重複領域に移動した場合、端末局ＭＴ１が基地局ＢＳ３を選択する場合もあり、この場合、ネットワークの変更が必要とされる。さらにわずかの移動で、端末局ＭＴ１が基地局ＢＳ２のセルに移動すると、再び、ネットワークの変更が必要とされ、通信が途絶えることにもなる。
【００４０】
これに対して、本発明によれば、簡易な構成で、自律的に、移動前と同一のネットワークアドレスを持つ基地局に帰属することを可能とし、端末局の設定変更の回避や、通信の中断が発生しない、という効果が得られる。
【００４１】
【発明の効果】
以上説明したように、本発明によれば、一のネットワークにつながる基地局装置に帰属していた端末局が、複数の基地局が作るセルの重複領域に移動した場合、端末局は、ネットワークの変更が不要な基地局装置を自律的に且つ優先的に選択して、帰属処理を行う構成としたことにより、端末局の設定変更の回避や、通信の中断が発生しない、という効果が得られる。
【図面の簡単な説明】
【図１】本発明の一実施例における基地局の構成を示す図である。
【図２】本発明の一実施例における端末局の構成を示す図である。
【図３】本発明が適用されるネットワークのシステム構成を示す図である。
【符号の説明】
１  無線送受信回路
２  送受信切替え回路
３  ネットワークアドレスフィルタリング回路
４  ネットワークアドレス記憶部
５  有線ネットワークインタフェース回路
６  端末帰属管理回路
７  基地局情報送信回路
８  基地局情報設定回路
９  無線送受信回路
１０  送受信切替え回路
１１  基地局情報受信回路
１２  基地局選択回路
１３  基地局情報記憶部
１４  帰属処理回路
１５  端末
１０１  ルータ
【図１】
0003707403.tif 000002
【図２】
0003707403.tif 000003
【図３】
0003707403.tif 000004